(57)【要約】【課題】廃棄物の削減及び省保管スペースの問題点を解決すると共に、フランジ付きカートリッジに直接に且つ容易に取り付けることができ、種々のサイズや容量のカートリッジに対して汎用できるカートリッジ注入器等の提供【解決手段】カートリッジ注入器１の本体部５が、指掛け部２１の先端側に突出形成されるフランジ固定部２３を備え、フランジ固定部はカートリッジ１００の対向するフランジ係合部１１５を回転することにより受入可能な導入部２７と、カートリッジ１００をフランジ固定部２３に対して長手軸線の周りで相対的に回転させたときに、フランジ係合部１１５がフランジ固定部２３に対して固定されるように受け入れ可能であり、カートリッジ注入器１の長手軸線を中心とする円弧の一部に沿って形成される案内溝３１を備える。【選択図】        図１
2004313369.tif 000002
【特許請求の範囲】
【請求項１】
先端側に形成され栓で閉鎖可能な注出口と、基端側に形成され、少なくとも２つの対向するフランジ係合部を有するフランジと、薬剤が充填されている充填部と、前記充填部内にスライド可能に設けられるピストン栓とを備えるカートリッジを使用するためのカートリッジ注入器において、
前記カートリッジ注入器は本体部とプランジャとを備え、
前記本体部は、中央に前記プランジャがスライドするための貫通孔が形成された基部と、該基部に対して、前記カートリッジのフランジよりも大きく形成される指掛け部と、該指掛け部の先端側に突出して形成されるフランジ固定部とを備えて成り、該フランジ固定部は前記カートリッジのフランジの少なくとも対向するフランジ係合部を回転することにより受入可能な導入部と、前記カートリッジを前記フランジ固定部に対してカートリッジ注入器の長手軸線の周りで相対的に回転させたときに、前記フランジの少なくとも対向するフランジ係合部が前記フランジ固定部に対して前記カートリッジ注入器の長手軸線方向での固定がなされるように受け入れ可能であり、カートリッジ注入器の長手軸線を中心とする円弧の一部に沿って形成される、先端壁、基端壁及び内側壁により囲まれる案内溝とを備え、
前記プランジャは、前記貫通孔内でスライド可能なロッドと、該ロッドの先端に形成され、前記ピストン栓の基端側に係合可能な形状を有するプッシャと、前記ロッドの基端に形成される押し込み作用部とを備えることを特徴とするカートリッジ注入器。
【請求項２】
請求項１において、前記カートリッジのフランジは矩形であり、該矩形の角部がフランジ係合部として機能することを特徴とするカートリッジ注入器。
【請求項３】
請求項１または２において、前記フランジ係合部は前記カートリッジ注入器の長手軸線に関して点対称な位置に２以上形成されていることを特徴とするカートリッジ注入器。
【請求項４】
請求項１から３のいずれか１項において、前記フランジ固定部は、前記フランジの対向するフランジ係合部を受入可能な２つの鉤状受入部から構成されており、各鉤状受入部の内側に各々前記案内溝が形成されており、前記導入部から前記対向するフランジ係合部を受け入れるように前記カートリッジを所定角度だけ相対回転させたときに、前記フランジ係合部が案内溝の途中に係合し固定され、あるいは案内溝の終端壁に係合し固定されることを特徴とするカートリッジ注入器。
【請求項５】
請求項４において、前記案内溝の内側壁は、前記固定のための回転方向に向かって該回転の中心からの距離が次第に短くなるようにテーパ状に形成されていることを特徴とするカートリッジ注入器。
【請求項６】
請求項４または５において、前記案内溝の基端壁と先端壁との間隔は、前記固定のための回転方向に向かって狭くなるようにテーパ状に形成されていることを特徴とするカートリッジ注入器。
【請求項７】
請求項１から６のいずれか１項において、前記フランジ固定部は、前記フランジの対向するフランジ係合部を受入可能な２つの鉤状受入部の組を前記フランジの大きさに対応して複数組備え、これら鉤状受入部の組が前記指掛け部の円周方向で互いに位置がずれて形成されていることを特徴とするカートリッジ注入器。
【請求項８】
請求項１から７のいずれか１項において、前記フランジ固定部は、前記フランジの対向するフランジ係合部を受入可能な２つの鉤状受入部の組を前記フランジの大きさに対応して複数組備え、これら鉤状受入部の組が、前記２つの鉤状受入部間の距離が長い方から順に、前記カートリッジ注入器の長手軸線の先端方向側から位置がずれて形成されていることを特徴とするカートリッジ注入器。
【請求項９】
請求項１または２において、前記フランジ固定部は、前記カートリッジ注入器の長手軸線の先端方向から基端方向へ向かって縮径していく円錐形のテーパ面に沿って、前記カートリッジのフランジの厚みを受け入れ可能なピッチで螺旋状に形成された螺旋溝から構成されることを特徴とするカートリッジ注入器。
【請求項１０】
請求項１または２において、前記フランジ固定部は、前記カートリッジ注入器の長手軸線の先端方向から基端方向へ向かって縮径していく円錐形のテーパ面に沿って、前記フランジの厚みを受け入れ可能なピッチで螺旋状に形成された螺旋状リブの間に形成される螺旋溝から構成されることを特徴とするカートリッジ注入器。
【請求項１１】
請求項１〜１０のいずれか１項において、前記カートリッジ注入器の本体部には、前記プッシャでピストン栓を押圧後、プランジャを基端側へ引いたときに前記プッシャがピストン栓から自動的に分離されるようにピストン栓分離機構が形成されていることを特徴とするカートリッジ注入器。
【請求項１２】
請求項１〜１１のいずれか１項において、前記カートリッジ注入器の本体部には、前記プランジャの抜けを防止するストッパが形成されていることを特徴とするカートリッジ注入器。
【請求項１３】
請求項１〜１２のいずれか１項において、前記指掛け部は多角形であることを特徴とするカートリッジ注入器。
【請求項１４】
請求項１〜１３のいずれか１項において、前記指掛け部の先端側の面には滑り止め加工が施されていることを特徴とするカートリッジ注入器。
【請求項１５】
請求項１〜１４のいずれか１項に記載のカートリッジ注入器と組み合わせて使用するための、薬剤が充填されたカートリッジ。
【請求項１６】
請求項１５において、前記薬剤は眼科治療剤であることを特徴とする薬剤が充填されたカートリッジ。
【請求項１７】
請求項１５または１６のいずれかにおいて、前記カートリッジの注出口には注射針を固定する構造が形成されていることを特徴とする薬剤が充填されたカートリッジ。
【請求項１８】
請求項１〜１４のいずれかに記載のカートリッジ注入器と、薬剤が充填されたカートリッジとを備えることを特徴とする注入器セット。
【請求項１９】
請求項１８において、前記カートリッジに充填される薬剤は眼科治療剤であることを特徴とする注入器セット。
【請求項２０】
請求項１８において、前記カートリッジに充填される薬剤は粘弾性物質であることを特徴とする注入器セット。
【請求項２１】
請求項１９において、前記カートリッジに充填される眼科治療剤はヒアルロン酸またはその塩を有効成分とする水溶液であることを特徴とする注入器セット。
【請求項２２】
請求項１９において、前記カートリッジに充填される眼科治療剤はヒアルロン酸ナトリウムを有効成分とする水溶液であることを特徴とする注入器セット。
【請求項２３】
請求項１８〜２２のいずれか１項において、前記カートリッジの容量は１．０ｍＬ〜５０．０ｍＬであることを特徴とする注入器セット。
【請求項２４】
請求項１８〜２３のいずれか１項において、前記プランジャのプッシャと、前記カートリッジのピストン栓との間には両者を一体に結合する一体結合構造が設けられていることを特徴とする注入器セット。
【請求項２５】
請求項２４において、前記一体結合構造は、雄ネジが形成される前記プッシャと、ピストン栓の基端側に形成され雌ネジが形成される螺合穴とによって構成されていることを特徴とする注射器セット。
【発明の詳細な説明】
【０００１】
【発明の属する技術分野】
本発明は、眼科治療剤等の薬剤を投与するために使用されるカートリッジ注入器、カートリッジ及び該注入器を備えた注入器セットに関するものである。
【０００２】
【従来の技術】
従来公知のシリンジまたは注入器として、以下のものがある。即ち特公昭３５−２５９９号公報には、分割シリンダ状のアゴによりアンプルを固持する構成が開示されている。しかしこのような構成ではアンプルの外径に応じた注射フレームを準備しなくてはならない。
【０００３】
実公昭５０−６７１７号公報には、喞筒に配された係止突起の前端傾斜面が固定具の係止溝に楔状に食い込み、喞筒の後端部を固定具の前端部に確実かつ正確に嵌合固定させる構成が開示されている。しかしこのような構成では喞筒の外径に応じた固定具を用意せねばならず、また固定具の脱着操作が煩雑となる欠点がある。
【０００４】
また特開昭５８−３８５６４号公報には、操作部材に一対のフランジを設け、これらを容器の上端から延びるフランジより横方向へ延在させて窪み部分をフランジの侵入する端部が内方に向かい合うように対面させる構成が開示されている。しかしこのような構成では、薬液の注入操作がプランジャの回転操作を必要とするため、素早い操作ができず、また指を掛ける部分が少ないため、安定した操作を行うには両手による操作が必要となる。
【０００５】
また特開平７−５１３７０号公報には、薬液ホルダに収容された薬液カートリッジを含むプレフィルドシリンジにピストンロッドを有する指掛け用ホルダを取り付けた構成を開示している。しかしこのような構成では、薬液カートリッジをプレフィルドシリンジに嵌め込んだ形状であるため、プレフィルドシリンジの外径に応じた指掛け用ホルダを用意しなくてはならない。
【０００６】
また特開２００１−７０４４５号公報には、注入補助具本体部の接合部を、プレフィルドシリンジ本体の接続部に接続させた構成を開示している。しかしこのような構成では、プレフィルドシリンジの外径に応じた指掛けフランジを用意しなければならず、また指掛けフランジの脱着操作が煩雑となる。
【０００７】
また特開２００１−２６９４０４号公報には、インジェクションヘッドにシリンジを取り付けるためのフランジ連結器具が開示されている。しかしこのフランジ連結器具では、シリンジのフランジ面にシリンジ固定用補助器具を別途取り付けた上で、インジェクションヘッドに取り付けなければならず、操作が煩雑である。更にシリンジ固定用補助器具の構成も複雑である。
【０００８】
また従来の薬剤注入用シリンジの中には、図７に示すようにシリンジ本体２０１の中に薬剤が入った薬液容器２０３が収納されており、シリンジ本体２０１の基端側にはプランジャ２０５が接続されている。プランジャ２０５の先端にはピストン２０７が形成されており、該ピストン２０７は薬液容器２０３の基端側において薬液容器２０３を密閉している。また薬液容器２０３の先端にはゴム栓２０９が設けられており、薬剤注入用シリンジ２００を使用するときにゴム栓２０９に針を刺すことができるようになっている。
【０００９】
このように従来の薬剤注入用シリンジは、シリンジ本体２０１、薬液容器２０３及びプランジャ２０５が一体となったディスポーザブルタイプであるため、使用後廃棄するに際しても一体で廃棄しなければならず、大量の廃棄物が出る原因となっていた。
【００１０】
また薬剤注入用シリンジは微生物等からの汚染を防ぐためにシリンジごとブリスターケースに入れて密封包装されており、更にシリンジを保護するために外箱で包装されていた。ブリスターケースはプラスチック製で比較的小さなものでも横が約１６ｃｍ、縦が約４．５ｃｍ、高さが約３ｃｍ程度の大きさがある。また外箱は紙製で更に大きく、比較的小さなものでも横が約１６．５ｃｍ、縦が約５ｃｍ、高さが約３．５ｃｍ程度の大きさがある。
【００１１】
従って包装された状態のシリンジは非常に大きくなってしまい、これを多数ストックしておくためには大きな保管スペースを要していた。また薬剤注入用シリンジにブリスターケース、外箱を含めた重量は約２８．５ｇ程度あり、このような包装資材の存在も廃棄物の増加の原因となっていた。
【００１２】
上記保管スペースの問題は、一般的に熱や光で分解されやすいため冷蔵保存されることの多い眼科治療剤において顕著である。例えば高分子量のヒアルロン酸ナトリウムを有効成分とする水溶液を眼科治療剤として使用した薬剤注入用シリンジにあっては、保存温度が高いと粘度の低下が見られるため冷蔵保存することが好ましいが、外箱が大きいと薬剤保管冷蔵庫の中で大きなスペースを占有することになってしまう。
【００１３】
特に白内障手術に用いる粘弾性物質を充填したシリンジにあっては、白内障手術の技術向上に伴い、手術症例の多い病院では１日に１５眼もの白内障手術が執刀されている。このような病院では上記のように大きく、嵩張る外箱に収納されたシリンジを１５〜３０箱程度常備しておかなくてはならず、薬剤保管用冷蔵庫内の保管スペースの占有の問題は深刻になっていた。
【００１４】
【特許文献１】
特公昭３５−２５９９号公報
【特許文献２】
実公昭５０−６７１７号公報
【特許文献３】
特開昭５８−３８５６４号公報
【特許文献４】
特開平７−５１３７０号公報
【特許文献５】
特開２００１−７０４４５号公報
【特許文献６】
特開２００１−２６９４０４号公報
【００１５】
【発明が解決しようとする課題】
本発明の課題は上記従来技術において述べた廃棄物の削減及び省保管スペースの問題点を解決すると共に、フランジ付きカートリッジに直接に且つ容易に取り付けることができ、種々のサイズや容量のカートリッジに対して汎用できるカートリッジ注入器、並びに該注入器用のカートリッジ及び該注入器を備えた眼科用注入器セットを提供することにある。
【００１６】
【課題を解決するための手段】
即ち本願発明のカートリッジ注入器は、先端側に形成され栓で閉鎖可能な注出口と、基端側に形成され、少なくとも２つの対向するフランジ係合部を有するフランジと、薬剤が充填されている充填部と、上記充填部内にスライド可能に設けられるピストン栓とを備えるカートリッジを使用するためのカートリッジ注入器において、上記カートリッジ注入器は本体部とプランジャとを備え、上記本体部は、中央に上記プランジャがスライドするための貫通孔が形成された基部と、該基部に対して、上記カートリッジのフランジよりも大きく形成される指掛け部と、該指掛け部の先端側に突出して形成されるフランジ固定部とを備えて成り、該フランジ固定部は上記カートリッジのフランジの少なくとも対向するフランジ係合部を回転することにより受入可能な導入部と、上記カートリッジを上記フランジ固定部に対してカートリッジ注入器の長手軸線の周りで相対的に回転させたときに、上記フランジの少なくとも対向するフランジ係合部が上記フランジ固定部に対して上記カートリッジ注入器の長手軸線方向での固定がなされるように受け入れ可能であり、カートリッジ注入器の長手軸線を中心とする円弧の一部に沿って形成される、先端壁、基端壁及び内側壁により囲まれる案内溝とを備え、上記プランジャは、上記貫通孔内でスライド可能なロッドと、該ロッドの先端に形成され、上記ピストン栓の基端側に係合可能な形状を有するプッシャと、上記ロッドの基端に形成される押し込み作用部とを備えることを特徴とするものである。上記カートリッジ注入器において、上記カートリッジのフランジは矩形であり、該矩形の角部がフランジ係合部として機能するようにしてもよい。
【００１７】
また上記カートリッジ注入器において、上記フランジ係合部は上記カートリッジ注入器の長手軸線に関して点対称な位置に２以上形成することができる。
また上記カートリッジ注入器において、上記フランジ固定部は、上記フランジの対向するフランジ係合部を受入可能な２つの鉤状受入部から構成されており、各鉤状受入部の内側に各々上記案内溝が形成されており、上記導入部から上記対向するフランジ係合部を受け入れるように上記カートリッジを所定角度だけ相対回転させたときに、上記フランジ係合部が案内溝の途中に係合し固定され、あるいは案内溝の終端壁に係合し固定されてもよい。
【００１８】
また上記カートリッジ注入器において、上記案内溝の内側壁は、上記固定のための回転方向に向かって該回転の中心からの距離が次第に短くなるようにテーパ状に形成されていてもよい。
【００１９】
また上記カートリッジ注入器において、上記案内溝の基端壁と先端壁との間隔は、上記固定のための回転方向に向かって狭くなるようにテーパ状に形成されていてもよい。
【００２０】
また上記カートリッジ注入器において、上記フランジ固定部は、上記フランジの対向するフランジ係合部を受入可能な２つの鉤状受入部の組を上記フランジの大きさに対応して複数組備え、これら鉤状受入部の組が上記指掛け部の円周方向で互いに位置がずれて形成されていてもよい。
【００２１】
また上記カートリッジ注入器において、上記フランジ固定部は、上記フランジの対向するフランジ係合部を受入可能な２つの鉤状受入部の組を上記フランジの大きさに対応して複数組備え、これら鉤状受入部の組が、上記２つの鉤状受入部間の距離が長い方から順に、上記カートリッジ注入器の長手軸線の先端方向側から位置がずれて形成されていてもよい。
【００２２】
また上記カートリッジ注入器において、上記フランジ固定部は、上記カートリッジ注入器の長手軸線の先端方向から基端方向へ向かって縮径していく円錐形のテーパ面に沿って、上記カートリッジのフランジの厚みを受け入れ可能なピッチで螺旋状に形成された螺旋溝から構成することができる。
【００２３】
また上記カートリッジ注入器において、上記フランジ固定部は、上記カートリッジ注入器の長手軸線の先端方向から基端方向へ向かって縮径していく円錐形のテーパ面に沿って、上記フランジの厚みを受け入れ可能なピッチで螺旋状に形成された螺旋状リブの間に形成される螺旋溝から構成してもよい。
【００２４】
また上記カートリッジ注入器において、上記カートリッジ注入器の本体部には、上記プッシャでピストン栓を押圧後、プランジャを基端側へ引いたときに上記プッシャがピストン栓から自動的に分離されるようにピストン栓分離機構が形成されていてもよい。
【００２５】
また上記カートリッジ注入器において、上記カートリッジ注入器の本体部には、上記プランジャの抜けを防止するストッパが形成されていてもよい。
また上記カートリッジ注入器において、上記指掛け部を多角形とすることができる。
【００２６】
また上記カートリッジ注入器において、上記指掛け部の先端側の面には滑り止め加工が施されていてもよい。
また本発明の薬剤が充填されたカートリッジは、上記いずれかに記載のカートリッジ注入器と組み合わせて使用することができるものである。
上記カートリッジにおいて、上記薬剤は眼科治療剤であってもよい。
また上記カートリッジにおいて、上記カートリッジの注出口には注射針を固定する構造が形成されていてもよい。
【００２７】
また本発明の注入器セットは、上記いずれかに記載のカートリッジ注入器と、薬剤が充填されたカートリッジとを備えるものである。
上記注入器セットにおいて、上記カートリッジに充填される薬剤は眼科治療剤であってもよい。
また上記注入器セットにおいて、上記カートリッジに充填される薬剤は粘弾性物質であってもよい。
【００２８】
また上記注入器セットにおいて、上記カートリッジに充填される眼科治療剤はヒアルロン酸またはその塩を有効成分とする水溶液であってもよい。
また上記注入器セットにおいて、上記カートリッジに充填される眼科治療剤はヒアルロン酸ナトリウムを有効成分とする水溶液であってもよい。
また上記注入器セットにおいて、上記カートリッジの容量は１．０ｍＬ〜５０．０ｍＬであってもよい。
【００２９】
また上記注入器セットにおいて、上記プランジャのプッシャと、上記カートリッジのピストン栓との間には両者を一体に結合する一体結合構造を設けることができる。
また上記注入器セットにおいて、上記一体結合構造は、雄ネジが形成される上記プッシャと、ピストン栓の基端側に形成され雌ネジが形成される螺合穴とによって構成されていてもよい。
【００３０】
また上記注入器セットにおいて、上記カートリッジ注入器の本体部には、上記プッシャでピストン栓を押圧後、プランジャを基端側へ引いたときに上記プッシャがピストン栓から自動的に分離されるようにピストン栓分離機構が形成されていてもよい。
【００３１】
【発明の実施の形態】
以下、本願発明のカートリッジ注入器１の実施の形態を図面に基づいて説明するが、それに先だって、まずカートリッジ注入器１を適用可能なカートリッジ１００の構成について図１（ｂ）に基づいて説明する。尚、本明細書では、カートリッジ１００からカートリッジ内の薬剤が供給される方向を先端側（図１において下側）とし、その反対方向を基端側と定義する。後述するカートリッジ注入器１の説明においても同様に、カートリッジ注入器１をカートリッジ１００に取り付けたときに薬剤が供給される方向を先端側とし、その反対方向を基端側と定義する。
【００３２】
カートリッジ１００は、図１（ｂ）に示すように内部に薬剤が充填されている充填部１０１を備え、充填部１０１の先端側には注出口１０３が形成されている。注出口１０３は充填部１０１内の薬剤が漏れないようにゴム栓１０５で閉鎖されており、使用時にはゴム栓１０５は容易に取り外し可能となっている。また、図１（ｃ）に示すように注入針がカートリッジ１００の先端から抜けにくくするために注入針を固定するルアーロック構造１０７を適用することもできる。即ちルアーロック構造１０７は、カートリッジ１００の先端側を注出口１０３を覆うように長く延ばし、その内側に注入針の基端側に形成されたフランジ（図示せず）を回転させて螺合可能な螺合溝１０９が形成されたものである。ルアーロック構造１０７においても注出口１０３がゴム栓１０５で閉鎖されている点は同様である。
【００３３】
カートリッジ１００の充填部１０１内には、充填部１０１内でスライド可能なピストン栓１１１が設けられている。ピストン栓１１１の基端側には、後述するカートリッジ注入器１のプッシャが係合可能な円錐台形状の挿入孔１１２が形成されている。
【００３４】
カートリッジ１００の基端側にはフランジ１１３が形成されており、該フランジ１１３には、カートリッジ１００の長手軸線に対して点対称に２つの対向するフランジ係合部１１５が形成されている（図２参照）。フランジ係合部１１５は、後述するカートリッジ注入器１のフランジ固定部に係合して固定される部分であり、フランジ固定部に係合可能な大きさ、厚み及び形状を備える。フランジ係合部１１５の形状の一例としては、図２に示すようにフランジ１１３全体がほぼ矩形となるように、長手軸線の両側にフランジ係合部１１５が形成されているものが挙げられる。本実施の形態では矩形の４つの角部１１７のうち、回転によりカートリッジ注入器１のフランジ固定部に実際に係合可能な２つの角部１１７がフランジ係合部１１５として機能する。
【００３５】
このような矩形の形態のフランジ係合部１１５は一例に過ぎず、フランジ係合部１１５は、６角形、８角形などの多角形の他、フランジ係合部１１５のみ外側へ突出して形成されている形態など、カートリッジ注入器１のフランジ固定部に係合する種々の形態を採り得る。
【００３６】
フランジ係合部１１５はカートリッジ１００の長手軸線に対して点対称な位置に３以上形成しても構わないが、カートリッジ１００のカートリッジ注入器１への固定操作時の操作性と、固定時の安定性を考えると２個であることが好ましい。カートリッジ１００を構成する材料としては、ガラス、プラスチック等医薬品の保存に適した材料であれば問題ないが、視認性に優れ、かつ取り扱いが容易なポリエチレン、ポリプロピレンなどのポリオレフィン系プラスチック、ポリエチレンテレフタレートやポリカーボネートなどのプラスチック等が適用できる。
【００３７】
カートリッジ１００の容量は、１．０ｍＬ〜５０．０ｍＬであり、カートリッジ１００内に充填可能な薬剤の容量は０．１ｍＬ〜５０．０ｍＬである。因みに眼科治療剤として、ヒアルロン酸ナトリウムを有効成分とする水溶液が充填されている場合には、手術において使用される分量及びカートリッジ１００への充填効率の点から充填される眼科治療剤の容量として０．４ｍＬ〜２．０ｍＬの範囲内とすることが好ましい。
【００３８】
カートリッジに充填される薬剤は、注射剤、注入剤、洗浄剤など溶液として用いられる医薬品及びその他の薬剤など、その成分を問わない。例えば、眼科治療剤の分野では、粘弾性物質、潅流液、散瞳剤、縮瞳剤、抗生剤、抗菌剤、抗炎症剤、局所麻酔剤等が挙げられる。粘弾性物質としてはヒアルロン酸ナトリウム、コンドロイチン硫酸、キチン、キトサン、コラーゲン、セルロース誘導体、又は上記成分を組み合わせた混合物等を有効成分とする水溶液が挙げられる。潅流液としては等張化した水溶液（ナトリウムイオン、カリウムイオン、カルシウムイオン、マグネシウムイオンなどの１価及び／または２価イオンを含み、ｐＨ６．４〜８．２、グルタチオン、ブドウ糖を含有するものであっても良い）等が挙げられる。
【００３９】
散瞳剤としてはエビネフリンまたは同効薬（誘導体を含む）等が挙げられる。また縮瞳剤としてはアセチルコリンまたは同効薬（誘導体、コリンエステラーゼ阻害剤を含む）等が挙げられる。抗生剤としてはアミノ配糖体、βラクタム系等の抗生物質が挙げられる。抗菌剤としてはキノロン系合成抗菌剤等が挙げられる。更に抗炎症剤としてはステロイド及び非ステロイド系抗炎症剤等が挙げられる。更に局所麻酔剤としてはリドカインまたは同効薬（誘導体を含む）等が挙げられる。
【００４０】
このような眼科治療剤は、例えば、ヒトを含む哺乳動物の眼科疾患、特に白内障等の治療及び／または予防のための薬剤として、疾患部位に局所的に投与して、あるいは眼内レンズを挿入する場合の補助として使用することが可能である。
【００４１】
上記ヒアルロン酸の塩としては、通常、ナトリウム塩を用いるが、カリウム塩等を用いてもよい。本発明で用いることができるヒアルロン酸又はその塩としては、その分子量が５０万〜８００万であるものが好ましく、５０万〜３９０万であるものが更に好ましい。
【００４２】
また内皮保護効果があるものとしては分子量が５０万〜１２０万、前房保持に使用する場合には分子量が１９０万〜３９０万の範囲内にあるものが好ましい。更に手術時の操作性の点で、分子量が１５０万〜３９０万の範囲内にあるものを好む術者もいる等、上記の目的等に応じて特長を異にする分子量の使い分けが行われている。なお、本明細書において使用する分子量は粘度平均分子量のことを意味するものとする。
【００４３】
また、上記ヒアルロン酸またはその塩の濃度としては、２００〜５，０００μｇ／ｍＬの範囲内であることが好ましい。因みにヒアルロン酸またはその塩の濃度が２００μｇ／ｍＬ未満または５，０００μｇ／ｍＬを超えると角膜上皮層の伸展促進作用が低下するので好ましくない。また、液体製剤の場合、５，０００μｇ／ｍＬを超えると取扱い及び投与（適用）が困難となるので好ましくない。
【００４４】
また眼科治療剤としてヒアルロン酸またはその塩を有効成分とする水溶液を使用した場合にはヒアルロン酸以外の他の添加物、例えば、塩化ナトリウム、リン酸水素二ナトリウム、リン酸水素一カリウムなどの塩類やコンドロイチン硫酸やグリチルリチンなどの抗炎症剤等を適宜添加してもよい。
【００４５】
またヒアルロン酸またはその塩を用いた眼科治療剤を眼科用液体製剤として臨床に適用するに際しては、リン酸塩緩衝化生理食塩液に分子量５０万〜８００万、好ましくは５０万〜３９０万のヒアルロン酸ナトリウムを２００〜５，０００μｇ／ｍＬの濃度で溶解したものを一回当たり、１〜２ｍＬ投与する。なお、ヒアルロン酸の安全性（毒性・非炎症性）については、既に数多くの実験がなされており、その安全性が確認されている。例えば、眼毒性については、ウサギを用いた実験により刺激性、抗原性がないことが確認されている（上野則夫他：日本眼科紀要３５，５８４（１９８４）及び同３５，８０３（１９８４））。
【００４６】
カートリッジ注入器１を適用可能なカートリッジ１００は以上述べたような構成を備えている。以下、このカートリッジ１００に適用する本発明のカートリッジ注入器１について説明する。
【００４７】
カートリッジ注入器１は大きく分けて、プランジャ３と本体部５とを備えて成る。プランジャ３は、ロッド７と、ロッド７の先端に形成され、カートリッジ１００におけるピストン栓１１１の挿入孔１１２に係合可能な形状を有するプッシャ９と、ロッド７の基端に形成される押し込み作用部１１とから構成されている。プッシャ９は、先端方向へ行くに従って縮径するテーパ形状に形成されており、これが対応する円錐台形状の挿入孔１１２に挿入可能となっている。
【００４８】
プッシャ９は先端側へ向かって縮径するテーパ状に形成されているため、プランジャ３の押し込み動作によりピストン栓１１１を先端側へ押し込むときには挿入孔１１２にしっかりと嵌まり込むことができ、その一方、プランジャ３の引き動作時には、プッシャ９が容易に挿入孔１１２から抜け出ることにより、ピストン栓１１１がプランジャ３と一緒に基端側へ移行することを防止できる。このような構成は、プランジャ３の押し込みにより薬剤を外部へ注出することはあるが、採血のように液体を吸引することがない態様で使用する場合に優れている。尚、このようにプランジャ３の引き動作時にプッシャ９がピストン栓１１１から自動的に分離される構造は、ピストン栓分離機構に相当する。
【００４９】
一方、プランジャ３の押し込み動作と引き動作との両方が可能となるように、プッシャ９とピストン栓１１１との間で両者を一体に結合する一体結合構造を採用することができる。一体結合構造の一例としては、例えばプッシャ９を雄ネジの形態にし、ピストン栓１１１の基端側に形成された挿入孔１１２を雌ネジが形成された螺合穴の形態とすることを挙げることができる。
【００５０】
プランジャ３の基端側には、プランジャ３の押し込み動作時に使用者が親指でプランジャ３を操作しやすいように押し込み作用部１１が形成されている。
【００５１】
一方本体部５は、中央にプランジャ３がスライドするための貫通孔１３が形成された基部１５を有し、貫通孔１３の基端側には、プランジャ３のロッド７が丁度スライドできる大きさの孔１７が中央に形成されたロッド支持部１９が螺合している。ロッド支持部１９の孔１７は、ロッド７が丁度スライドできる大きさであるため、プランジャ３を基端方向に一杯に引いたときに、プッシャ９の基端側がロッド支持部１９の先端側に係止して、プッシャ９が本体部５から抜け出ることを防止するストッパとして機能する。
【００５２】
貫通孔１３の先端側は、ピストン栓１１１の直径よりも若干小さく形成されており、これによりプランジャ３の引き動作に伴いピストン栓１１１がプッシャ９と共に基端側へ移行したとしても、ピストン栓１１１が貫通孔１３に引っかかることで、プッシャ９がピストン栓１１１から分離される。このような構成も、上記ピストン栓分離機構の一部を構成するものとして採用できる。
【００５３】
本体部５の基部１５の先端側からは、指掛け部２１が外方へ拡がって形成されており、指掛け部２１の先端側からはフランジ固定部２３が先端側へ突出形成されている。指掛け部２１は、プランジャ３の押し込み動作時に例えば人差し指と中指の第１関節付近を掛けるための部分であり、カートリッジ１００のフランジ１１３よりも大きく形成されている。指掛け部２１はカートリッジ注入器１を机上に置いた時に転がりにくいように、正面視三角形以上の多角形に形成されていることが好ましい。また指掛け部２１の先端側の面には、指の滑りを防止するために滑り止め加工が施されている。ここで、プランジャ３及び本体部５は、繰り返して使用することのできる頑強な材料によって構成されている。一例としてチタン、ステンレス、アルミニウム等の金属材料もしくはこれらを主成分とする合金が適用できる。特に耐薬品性、耐熱性、軽量化、強度等に優れるチタンが好適な材料である。勿論これらと同等の性能を有する他の金属材料、合成樹脂等の非金属材料があれば当該材料を使用することも可能である。
【００５４】
フランジ固定部２３は、図１（ａ）に示すように、断面が内側に鉤状に屈曲し且つロッド７の長手軸線を中心とする円弧の一部に沿って延びる２つの鉤状受入部２４（図２も参照）から構成されており、各鉤状受入部２４の一端側（図２（ａ）中、符号２５で示す）の下側には、カートリッジ１００のフランジ係合部１１５を回転することにより受入可能に開放した導入部２７が形成されている。導入部２７からフランジ固定部２３の他端側（図２（ａ）中、符号２９で示す）にかけて、鉤状受入部２４の内側に、ロッド７の長手軸線を中心とする円弧の一部に沿って案内溝３１（図１（ａ）の拡大図参照）が形成されている。尚、ロッド７の長手軸線はカートリッジ注入器１の長手軸線と共通するので、本明細書では、ロッド７の長手軸線に代えてカートリッジ注入器１の長手軸線と表す場合がある。
【００５５】
図１（ａ）の拡大図に示すように案内溝３１は、先端側の先端壁３３、基端側の基端壁３５及びロッド７の長手軸線とほぼ平行に延びる内側壁３７とによって囲まれており、カートリッジ１００をフランジ固定部２３に対してカートリッジ注入器の長手軸線の周りで相対的に回転させたときに、２つのフランジ係合部１１５が上記導入部２７から案内溝３１内へ受け入れられ、更に回転することにより２つのフランジ係合部１１５が案内溝３１に沿って進行し、この結果、フランジ固定部２３に対してカートリッジ１００の長手軸線方向での固定がなされるようになっている。
【００５６】
各案内溝３１の他端側（図２（ａ）中、符号２９で示す側）には、案内溝３１が終端する終端壁３９が形成されており、各導入部２７から２つのフランジ係合部１１５を受け入れた状態でカートリッジ１００を所定角度だけ相対回転させたとき、フランジ係合部１１５が案内溝３１の終端壁３９に係合してそれ以上の回転が阻止されるようになっている。
【００５７】
案内溝３１の内側壁３７（図１（ａ）の拡大図）は、２つのフランジ係合部１１５をフランジ固定部２３に対して固定方向に回転していくときに、該回転の中心からの距離が次第に短くなるようにテーパ状に形成されていてもよい。このような構成を採用することにより、フランジ係合部１１５が案内溝３１内で一定角度回転したときに、フランジ係合部１１５が終端壁３９に係合する前の段階で、フランジ係合部１１５の外周部が案内溝３１の内側壁３７に係合して固定されるようになる。
【００５８】
また２つのフランジ係合部１１５をフランジ固定部２３に対して固定方向に回転していくときに、案内溝３１の基端壁３５と先端壁３３との間隔が狭くなるようにテーパ状に形成してもよい。このような構成により、フランジ係合部１１５が案内溝３１内で一定角度回転したときに、フランジ係合部１１５の上下の外縁が案内溝３１の基端壁３５と先端壁３３とに係合して固定されるようになる。尚、勿論、内側壁３７がテーパ状に形成されている構成と、基端壁３５と先端壁３３とがテーパ状に形成されている構成との両方備えていても良い。
【００５９】
上記実施の形態のカートリッジ注入器１の作動に関して説明すると、図２（ａ）に示す如く、２つのフランジ係合部１１５が２つの鉤状受入部２４の間に位置するようにフランジ１１３を配置し、この状態で図２（ｂ）に示す如く、フランジ１１３をフランジ固定部２３に対してカートリッジ１００の長手軸線の周りで相対的に矢印の方向へ回転させる。これにより２つのフランジ係合部１１５、即ち角部１１７が導入部２７から案内溝３１内へ入り込み、その後フランジ１１３を更に回転させることにより、終端壁３９に当接するか、テーパ状に形成された内側壁３７に係合するか、あるいはテーパ状に形成された基端壁３５と先端壁３３との間に係合することにより、それ以上の回転ができなくなり、固定状態となる。
【００６０】
次に、本願発明のカートリッジ注入器におけるフランジ固定部２３の他の実施の形態について、図３〜図６を参照しながら説明する。図３に示す実施の形態のフランジ固定部２３は、図１に示すような２つの対向するフランジ係合部１１５を受入可能な２つの鉤状受入部の組を複数組備えている。これら鉤状受入部２４ａ、２４ｂ、２４ｃの各組は、ロッド７の長手軸線に関して点対称の位置に対向して配置され、且つ指掛け部２１の円周方向で互いに位置がずれて形成されている。本例では各鉤状受入部２４ａ、２４ｂ、２４ｃが、５ｍｌ、２．５ｍｌ及び１ｍｌの容量の各カートリッジ１００のフランジ１１３の大きさに対応している。
【００６１】
また図３（ｂ）に示すように、５ｍｌカートリッジ用の鉤状受入部２４ａは、最も先端側に位置し、２．５ｍｌカートリッジ用の鉤状受入部２４ｂはその基端側に位置し、１ｍｌカートリッジ用の鉤状受入部２４ｃは最も基端側に位置するように軸線方向の位置がずれて配置されている。これにより例えば５ｍｌカートリッジのフランジ係合部１１５を鉤状受入部２４ａに係合するときに、鉤状受入部２４ｂ、２４ｃの存在が障害となることを回避することができる。
【００６２】
また図４に示す実施の形態のフランジ固定部２３は、図１に示すような２つの鉤状受入部２４を図４（ａ）に示すように長く形成し、且つ図４（ｂ）に示すように、鉤状受入部２４の一端側２５に形成された導入部２７から他端側２９に向けて案内溝３１が次第に基端側へ移行するように形成されている。このような構成にすることにより、図１（ａ）と図４（ｂ）との比較において明らかなように、鉤状受入部２４が指掛け部２１の先端側の面から突出しなくなるため、指を指掛け部２１に違和感なく掛けやすくなる。また図４（ａ）中、実線で示すように比較的容量の大きなカートリッジ１００のフランジ１１３と、２点鎖線で示すように比較的容量の小さなカートリッジ１００のフランジ１１３とのいずれでも、フランジ固定部２３に対して回転により固定することができる。
【００６３】
また図５に示す実施の形態のフランジ固定部２３は、カートリッジ注入器１の長手軸線の先端方向から基端方向へ向かって縮径していく円錐形のテーパ面４１に沿って、カートリッジ１００のフランジ１１３の厚みを受け入れ可能なピッチで螺旋状に形成された螺旋溝４３から構成されている。螺旋溝４３の直径は、図５（ｂ）に示すように先端側において大きく、基端側において小さくなっているので、例えば５ｍｌ容量のカートリッジ１００のフランジ１１３を円錐形の中へ入れ、この状態でフランジ１１３をフランジ固定部２３に対して相対回転させれば、図６（ａ）及び（ｂ）に示すように、比較的先端側において２つのフランジ係合部１１５が螺旋溝４３に係合するようになり、２つのフランジ係合部１１５間の距離が螺旋溝４３の直径と同じになった所でフランジ係合部１１５が螺旋溝４３内に係合固定された状態となる。
【００６４】
また１ｍｌ容量のカートリッジ１００のフランジ１１３を円錐形の中へ入れた場合には、該フランジ１１３の２つのフランジ係合部１１５間の距離が短いため、図６（ｃ）及び（ｄ）に示すように、比較的基端側において２つのフランジ係合部１１５が螺旋溝４３に係合するようになり、５ｍｌカートリッジの場合同様、２つのフランジ係合部１１５間の距離が螺旋溝４３の直径と同じになった所でフランジ係合部１１５が螺旋溝４３内に係合固定された状態となる。
【００６５】
上記のように本実施の形態では、螺旋溝４３が、大きさの異なる種々のフランジ１１３を、そのいずれかの箇所において受入れて、フランジ係合部１１５と係合することができるので、種々の容量のカートリッジ１００に適用可能な汎用性を有する。尚、図５（ａ）及び図６（ａ）（ｃ）において、螺旋溝４３の開始する先端側に導入部を示す符号２７を付したが、フランジ１１３が小さい場合には、螺旋溝４３の開始する先端側より基端側に形成されている螺旋溝４３のいずれかの部分がフランジ係合部１１５と係合を開始する部分、即ち導入部２７となる。
【００６６】
図６（ｅ）は、図６（ａ）〜（ｄ）において円錐形のテーパ面４１に形成された螺旋溝４３にフランジ係合部１１５が係合している状態を拡大して示している。これに対して図６（ｆ）は、円錐形のテーパ面４１から螺旋状にリブ４５が形成されており、その間に螺旋溝４３が形成されている様子を示している。このように螺旋状の溝はテーパ面４１に溝を付けて形成してもよいし、テーパ面４１にリブを形成することによりその間に形成するようにしてもよい。
【００６７】
【発明の効果】
請求項１または２に記載の発明によれば、カートリッジの対向するフランジ係合部を回転することで、フランジ係合部が導入部から案内溝内に入り、カートリッジのカートリッジ注入器に対する長手軸線方向での固定がなされる。カートリッジを使用後はカートリッジ注入器から外すことにより、カートリッジ注入器を頻回使用できるため、廃棄物がカートリッジのみとなり、従来のディスポーザブルタイプのシリンジのときよりも廃棄物を相当量減らすことができる。
【００６８】
また上述のような回転による取付機構により、カートリッジ注入器へのカートリッジの取付を簡単な操作で短時間で行うことができる。更にまた微生物等からの汚染を防ぐためのブリスターケースでの密封包装はカートリッジのみを対象とすれば良いから、ブリスターケース及び外箱の小型化が図れ、薬剤保管用冷蔵庫内の保管スペースの占有の問題も回避される。
【００６９】
また請求項３に記載の発明によれば、カートリッジをカートリッジ注入器に対してどのような角度的位置で位置合わせしても、その状態から一定角度カートリッジを相対回転させるだけで容易にフランジ係合部を案内溝内へ係合させることができる。
【００７０】
また請求項４から６に記載の発明によれば、カートリッジをカートリッジ注入器に対して一定角度だけ回転することにより、カートリッジのフランジが案内溝内で回転方向への固定がなされるから、薬剤の注入動作時に誤ってカートリッジがカートリッジ注入器から外れることを防止することができる。
【００７１】
また請求項７または８に記載の発明によれば、複数組の鉤状受入部からフランジの大きさに対応した鉤状受入部を選択して、カートリッジ注入器をカートリッジに取り付けることができる。従って容量の異なるカートリッジに対して汎用性のあるカートリッジ注入器を提供することができる。また鉤状受入部の組をカートリッジ注入器の長手軸線の先端方向側から位置をずらして形成することにより、フランジを一の鉤状受入部に係合するときに他の鉤状受入部が障害となることを回避できる。
【００７２】
また請求項９または１０に記載の発明によれば、縮径していく螺旋溝に沿ってフランジを回転していくことにより、任意の大きさのフランジを螺旋溝内に係合することができる。
【００７３】
また請求項１１に記載の発明によれば、プッシャがピストン栓から自動的に分離されるから、カートリッジ注射器を効率良く頻回使用することができる。
【００７４】
また請求項１２に記載の発明によれば、プランジャがカートリッジ注入器から分離されることが防止されるため、プランジャの分離時にプランジャを基部に貫通させる手間が省ける。
【００７５】
また請求項１３に記載の発明によれば、カートリッジ注入器が机上等から床面へ転がり落ちることが防止できる。
【００７６】
また請求項１４に記載の発明によれば、使用者の指が誤って指掛け部から外れることを防止できる。
【００７７】
また請求項１５から１７に記載の発明によれば、上記カートリッジ注入器と組み合わせて適切な注入操作を行うことができる。
【００７８】
また請求項１８から２５に記載の発明によれば、上記の優れた効果が注入器セットにも実現できる。
【図面の簡単な説明】
【図１】（ａ）は本発明のカートリッジ注入器を示す側断面図であり、（ｂ）は該カートリッジ注入器を適用可能なカートリッジの側断面図であり、（ｃ）はカートリッジ注入器に適用可能なルアーロック構造を備えるカートリッジの側断面図である。
【図２】本発明のカートリッジ注入器にカートリッジを取付けるときの様子を示す上面図である。
【図３】（ａ）は本発明のカートリッジ注入器の他の実施形態を示す上面図であり、（ｂ）はその部分側断面図である。
【図４】（ａ）は本発明のカートリッジ注入器の更に他の実施形態を示す上面図であり、（ｂ）はその部分透視側面図である。
【図５】（ａ）は本発明のカートリッジ注入器の更に他の実施形態を示す上面図であり、（ｂ）はその部分側断面図である。
【図６】（ａ）は本発明のカートリッジ注入器の更に他の実施形態を示す上面図であり、（ｂ）はその部分側断面図である。（ｃ）及び（ｄ）は容量の小さなカートリッジを同カートリッジ注入器に適用したときの状態を示す上面図及び部分側断面図である。（ｅ）は円錐形のテーパ面に形成された螺旋溝にフランジ係合部が係合している状態を示す拡大断面図であり、（ｆ）は、円錐形のテーパ面から螺旋状にリブが形成されており、その間に螺旋溝が形成されている様子を示す拡大断面図である。
【図７】（ａ）は従来のディスポーザブルタイプの注入器における使用前の状態を示す側面図、（ｂ）は従来のディスポーザブルタイプの注入器における使用後の状態を示す側面図である。
【符号の説明】
１  カートリッジ注入器
３  プランジャ
５  本体部
７  ロッド
９  プッシャ
１１  押し込み作用部
１３  貫通孔
１５  基部
１７  孔
１９  ロッド支持部
２１  指掛け部
２３  フランジ固定部
２４  鉤状受入部
２５  フランジ固定部の一端側
２７  導入部
２９  フランジ固定部の他端側
３１  案内溝
３３  案内溝の先端壁
３５  案内溝の基端壁
３７  案内溝の内側壁
３９  案内溝の終端壁
４１  テーパ面
４３  螺旋溝
４５  リブ
１００  カートリッジ
１０１  充填部
１０３  注出口
１０５  ゴム栓
１０７  ルアーロック構造
１０９  螺合溝
１１１  ピストン栓
１１２  挿入孔
１１３  フランジ
１１５  フランジ係合部
１１７  角部
【図１】
2004313369.tif 000003
【図２】
2004313369.tif 000004
【図３】
2004313369.tif 000005
【図４】
2004313369.tif 000006
【図５】
2004313369.tif 000007
【図６】
2004313369.tif 000008
【図７】
2004313369.tif 000009